(57)【特許請求の範囲】
【請求項１】
（ａ）開閉自在に配設されたフロントドアを備え、電子マネーを蓄積するための蓄積媒体から成り、それぞれ独立して施錠及び開錠が可能にされた複数の媒体モジュールが収容された電子マネー金庫と、
（ｂ）前記蓄積媒体を管理する電子マネー管理サーバとを有するとともに、
（ｃ）前記電子マネー金庫は、該電子マネー金庫の状態を検出する状態検出手段を備え、
（ｄ）前記電子マネー管理サーバは、前記フロントドアをロックする手段、及び前記状態検出手段によっていずれか一つの媒体モジュールの開錠が検出された場合に、開錠が検出された媒体モジュールの電子マネーへのアクセスを阻止する阻止手段を備えることを特徴とする電子マネー管理装置。
【請求項２】
前記各媒体モジュールは電子マネー金庫に対して進退自在に配設される請求項１に記載の電子マネー管理装置。
【発明の詳細な説明】
【０００１】
【発明の属する技術分野】
本発明は、電子マネー管理装置に関するものである。
【０００２】
【従来の技術】
従来、通貨による現金取引に代わるものとして、通貨に相当する金銭的価値を電子化情報に変換し、該電子化情報を電子マネーとして蓄積媒体としてのＩＣカード（電子マネーカード）に蓄積し、前記電子マネーによって代金の決済を行うようにした電子マネー管理装置が提供されている。
【０００３】
該電子マネー管理装置においては、所定の管理センタに電子マネー金庫及び電子マネー管理サーバが配設され、前記電子マネー金庫内に複数のＩＣカードが収容され、保管されるようになっている。そして、前記電子マネー管理サーバによって各ＩＣカードが管理され、電子マネー管理サーバと各ＩＣカードとの間で電子マネーの授受が行われる。
【０００４】
【発明が解決しようとする課題】
しかしながら、前記従来の電子マネー管理装置においては、電子マネーバリューに対するセキュリティ機能として、電子マネー金庫の本体にセキュリティ機能を持たせるのではなく、電子マネーを蓄積するためのＩＣカードにセキュリティ機能を持たせるようにしているので、電子マネーバリューを安全に管理することができない。
【０００５】
本発明は、前記従来の電子マネー管理装置の問題点を解決して、電子マネーバリューを安全に管理することができる電子マネー管理装置を提供することを目的とする。
【０００６】
【課題を解決するための手段】
そのために、本発明の電子マネー管理装置においては、開閉自在に配設されたフロントドアを備え、電子マネーを蓄積するための蓄積媒体から成り、それぞれ独立して施錠及び開錠が可能にされた複数の媒体モジュールが収容された電子マネー金庫と、前記蓄積媒体を管理する電子マネー管理サーバとを有する。
そして、前記電子マネー金庫は、該電子マネー金庫の状態を検出する状態検出手段を備える。また、前記電子マネー管理サーバは、前記フロントドアをロックする手段、及び前記状態検出手段によっていずれか一つの媒体モジュールの開錠が検出された場合に、開錠が検出された媒体モジュールの電子マネーへのアクセスを阻止する阻止手段を備える。
【０００７】
【発明の実施の形態】
以下、本発明の実施の形態について図面を参照しながら詳細に説明する。
図１は本発明の第１の実施の形態における電子マネー金庫の斜視図、図２は本発明の第１の実施の形態における電子マネー管理システムの概念図である。
図において、１０は電子マネー管理システム、１１は金融機関等の図示されない管理センタに配設され、図示されない電子マネーによって代金の決済を行う電子マネー管理装置であり、該電子マネー管理装置１１は、電子マネー管理サーバ１２及び電子マネー金庫１３を有する。そして、前記電子マネー管理装置１１は、商店等に配設されたＰＯＳ端末１７等と公衆網／専用線１４を介してネットワーク接続されたり、ＰＣ端末１８等とインターネット１５を介してネットワーク接続されたりする。また、１６は前記ＰＯＳ端末１７、ＰＣ端末１８等において使用される消費者カードであり、該消費者カード１６は、前記電子マネーによって代金の決済を行うための記憶機能及び更新機能を備えたＩＣカードにより形成される。
【０００８】
したがって、例えば、消費者カード１６を前記ＰＯＳ端末１７にセットし、該ＰＯＳ端末１７と電子マネー管理装置１１とを公衆網／専用線１４を介してネットワーク接続することによって、消費者カード１６と電子マネー管理装置１１との間で電子マネーを移動させることができる。その結果、前記電子マネーによって代金の決済を行うことができる。
【０００９】
また、例えば、インターネット１５上のバーチャルモール等でオンラインショッピングを行い、消費者カード１６を前記ＰＣ端末１８にセットし、該ＰＣ端末１８と電子マネー管理装置１１とをインターネット１５を介してネットワーク接続することによって、消費者カード１６と電子マネー管理装置１１との間で電子マネーを移動させることができる。その結果、前記電子マネーによって代金の決済を行うことができる。
【００１０】
そのために、前記電子マネー金庫１３には、電子マネーを蓄積するための記憶機能、及び蓄積された電子マネーを更新し、電子マネーの額等を変更するための更新機能を備えた蓄積媒体としてのＳＩＭカード２２が複数収容され、保管される。また、前記電子マネー管理サーバ１２によって各ＳＩＭカード２２が管理され、電子マネー管理サーバ１２と各ＳＩＭカード２２との間で電子マネーの授受を行うことができる。なお、前記ＳＩＭカード２２はＩＣカードによって構成される。
【００１１】
ところで、前記ＳＩＭカード２２は、複数個、本実施の形態においては、１６個ずつモジュール化され、媒体モジュール、例えば、カードモジュール２１という単位で電子マネー金庫１３に４個収容される。前記各カードモジュール２１は、電子マネー金庫１３の本体に対して進退自在に配設される。そして、各カードモジュール２１に媒体モジュール錠としてのカードモジュール錠２４が配設され、該カードモジュール錠２４を施錠することによって、前記カードモジュール２１をロックして電子マネー金庫１３の本体から引き出すことができないようにしたり、カードモジュール錠２４を開錠することによって、前記カードモジュール２１を解除して電子マネー金庫１３の本体から引き出すことができるようにしたりすることができる。さらに、前記カードモジュール２１には、状態検出手段としての図示されない施錠状態検出スイッチが配設され、該施錠状態検出スイッチによってカードモジュール錠２４の施錠状態を検出することができる。
【００１２】
そして、各カードモジュール２１は、制御基板から成るコントローラモジュール２３に接続される。該コントローラモジュール２３は、４個のカードモジュール２１を管理する管理機能、各カードモジュール２１と前記電子マネー管理サーバ１２との間を接続するインタフェース機能、及び前記カードモジュール錠２４の施錠状態を監視する監視機能を備え、前記管理機能、インタフェース機能及び監視機能は、コントローラモジュール２３に搭載された制御ソフトウェアによって実行される。
【００１３】
なお、前記コントローラモジュール２３は、前記施錠状態検出スイッチの検出結果に基づいてカードモジュール錠２４の施錠状態を監視する。
また、２５は前記電子マネー金庫１３の前面に開閉自在に配設されたフロントドア、２６は該フロントドア２５をロックして開放することができないようにするためのフロントドア錠、２７は電源スイッチである。
【００１４】
次に、前記構成の電子マネー金庫１３の動作について説明する。
前記コントローラモジュール２３は、施錠状態検出スイッチの検出結果に基づいてカードモジュール錠２４の施錠状態を常時監視する。そして、コントローラモジュール２３の管理外においてカードモジュール錠２４の施錠状態が変化し、例えば、カードモジュール錠２４が開錠されると、コントローラモジュール２３は、直ちに電子マネー管理サーバ１２に緊急通知（以下、「アテンション」という。）を送信し、カードモジュール錠２４の施錠状態が変化した旨を通知する。
【００１５】
ここで、例えば、電子マネー金庫１３と電子マネー管理サーバ１２とが図示されないＬＡＮによるＴＣＰ／ＩＰによって接続されている場合、通常の運用時に図示されないＴＣＰポートが使用されるので、前記アテンションを電子マネー管理サーバ１２に送信するために、前記ＴＣＰポートとは別にアテンション用に開設された図示されないアテンション用ＴＣＰポートが使用される。
【００１６】
一方、前記電子マネー管理サーバ１２の図示されない阻止手段は、電子マネー金庫１３からアテンションを受信し、カードモジュール錠２４の施錠状態が変化した旨が通知されると、電子マネー金庫１３に緊急コマンドを送信し、電子マネーへのアクセスを阻止するよう指示する。なお、前記緊急コマンドは電子マネー管理サーバ１２にあらかじめ登録される。また、電子マネー管理システム１０の種類に対応させて各種の緊急コマンドを電子マネー管理サーバ１２に登録し、所定の緊急コマンドを選択して電子マネー金庫１３に送信することもできる。本実施の形態においては、緊急コマンドによって電子マネーへのアクセスを阻止するようになっているが、電子マネー管理システム１０の種類に対応させて、緊急コマンドによってフロントドア錠２６によりフロントドア２５をロックしたり、電子マネー金庫１３全体の作動をロックしたりすることもできる。
【００１７】
そして、前記電子マネー金庫１３は、前記緊急コマンドを受信すると、該当するカードモジュール２１を閉鎖し、該カードモジュール２１に実装されたＳＩＭカード２２に蓄積された電子マネーにアクセスすることができないようにする。このように、本実施の形態においては、電子マネー金庫１３に収容されたカードモジュール２１にカードモジュール錠２４を配設し、該カードモジュール錠２４の施錠状態を監視し、監視結果に基づいてカードモジュール２１を閉鎖することができるようになっているので、ＳＩＭカード２２及び電子マネーバリューを安全に管理することができる。
【００１８】
次に、本発明の第２の実施の形態について説明する。
図３は本発明の第２の実施の形態における電子マネー金庫の斜視図である。なお、第１の実施の形態と同じ構造を有するものについては、同じ符号を付与することによってその説明を省略する。
この場合、電子マネー金庫３０には、電子マネーを蓄積するための記憶機能、及び蓄積された電子マネーを更新し、電子マネーの額等を変更するための更新機能を備えた蓄積媒体としてのハードディスク３２が複数収容され、保管される。また、電子マネー管理サーバ１２（図２）によって各ハードディスク３２が管理され、電子マネー管理サーバ１２と各ハードディスク３２との間で電子マネーの授受を行うことができる。
【００１９】
ところで、前記ハードディスク３２は、複数個、本実施の形態においては、４個ずつモジュール化され、媒体モジュール、例えば、ディスクモジュール３１という単位で電子マネー金庫３０に４個収容される。前記各ディスクモジュール３１は、電子マネー金庫３０の本体に対して進退自在に配設される。そして、各ディスクモジュール３１に媒体モジュール錠としてのディスクモジュール錠３４が配設され、該ディスクモジュール錠３４を施錠することによって、前記ディスクモジュール３１をロックして電子マネー金庫３０の本体から引き出すことができないようにしたり、ディスクモジュール錠３４を開錠することによって、前記ディスクモジュール３１を解除して電子マネー金庫３０の本体から引き出すことができるようにしたりすることができる。さらに、前記ディスクモジュール３１には、状態検出手段としての図示されない施錠状態検出スイッチが配設され、該施錠状態検出スイッチによってディスクモジュール錠３４の施錠状態を検出することができる。
【００２０】
そして、各ディスクモジュール３１は、制御基板から成るコントローラモジュール３３に接続される。該コントローラモジュール３３は、４個のディスクモジュール３１を管理する管理機能、各ディスクモジュール３１と前記電子マネー管理サーバ１２との間を接続するインタフェース機能、及び前記ディスクモジュール錠３４の施錠状態を監視する監視機能を備え、前記管理機能、インタフェース機能及び監視機能は、コントローラモジュール３３に搭載された制御ソフトウェアによって実行される。
【００２１】
なお、前記コントローラモジュール３３は、前記施錠状態検出スイッチの検出結果に基づいてディスクモジュール錠３４の施錠状態を監視する。
次に、前記構成の電子マネー金庫３０の動作について説明する。
前記コントローラモジュール３３は、施錠状態検出スイッチの検出結果に基づいてディスクモジュール錠３４の施錠状態を常時監視する。そして、コントローラモジュール３３の管理外においてディスクモジュール錠３４の施錠状態が変化し、例えば、ディスクモジュール錠３４が開錠されると、コントローラモジュール３３は、直ちに電子マネー管理サーバ１２にアテンションを送信し、ディスクモジュール錠３４の施錠状態が変化した旨を通知する。
【００２２】
一方、前記電子マネー管理サーバ１２の図示されない阻止手段は、電子マネー金庫３０からアテンションを受信し、ディスクモジュール錠３４の施錠状態が変化した旨が通知されると、電子マネー金庫３０に緊急コマンドを送信し、電子マネーへのアクセスを阻止するよう指示する。なお、前記緊急コマンドは電子マネー管理サーバ１２にあらかじめ登録される。また、電子マネー管理システム１０の種類に対応させて各種の緊急コマンドを電子マネー管理サーバ１２に登録し、所定の緊急コマンドを選択して電子マネー金庫３０に送信することもできる。
【００２３】
そして、前記電子マネー金庫３０は、前記緊急コマンドを受信すると、該当するディスクモジュール３１に実装されたハードディスク３２に蓄積された電子マネーにアクセスすることができないようにする。
このように、本実施の形態においては、電子マネー金庫３０に収容されたディスクモジュール３１にディスクモジュール錠３４を配設し、該ディスクモジュール錠３４の施錠状態を監視し、監視結果に基づいて電子マネーへのアクセスを阻止することができるようになっているので、ハードディスク３２及び電子マネーバリューを安全に管理することができる。
【００２４】
なお、本発明は前記実施の形態に限定されるものではなく、本発明の趣旨に基づいて種々変形させることが可能であり、それらを本発明の範囲から排除するものではない。
【００２５】
【発明の効果】
以上詳細に説明したように、本発明によれば、電子マネー管理装置においては、開閉自在に配設されたフロントドアを備え、電子マネーを蓄積するための蓄積媒体から成り、それぞれ独立して施錠及び開錠が可能にされた複数の媒体モジュールが収容された電子マネー金庫と、前記蓄積媒体を管理する電子マネー管理サーバとを有する。
そして、前記電子マネー金庫は、該電子マネー金庫の状態を検出する状態検出手段を備える。また、前記電子マネー管理サーバは、前記フロントドアをロックする手段、及び前記状態検出手段によっていずれか一つの媒体モジュールの開錠が検出された場合に、開錠が検出された媒体モジュールの電子マネーへのアクセスを阻止する阻止手段を備える。
【００２６】
この場合、状態検出手段によっていずれか一つの媒体モジュールの開錠が検出された場合に、開錠が検出された媒体モジュールの電子マネーへのアクセスが阻止される。
したがって、蓄積媒体及び電子マネーバリューを安全に管理することができる。
【図面の簡単な説明】
【図１】本発明の第１の実施の形態における電子マネー金庫の斜視図である。
【図２】本発明の第１の実施の形態における電子マネー管理システムの概念図である。
【図３】本発明の第２の実施の形態における電子マネー金庫の斜視図である。
【符号の説明】
１１    電子マネー管理装置
１２    電子マネー管理サーバ
１３、３０    電子マネー金庫
２１    カードモジュール
２２    ＳＩＭカード
２４    カードモジュール錠
３１    ディスクモジュール
３２    ハードディスク
３４    ディスクモジュール錠
【図１】
0003698879.tif 000002
【図２】
0003698879.tif 000003
【図３】
0003698879.tif 000004